(57)【要約】【課題】従来、設備機器の試運転は設置工事時に施工者が行うものである。しかしながら人間が実施する為、試運転が完了したか否かを示す表示をしたとしても、施工者が見落とす可能性が残り、また、意識して試運転を実施しない施工者に対しては何ら効果が無く試運転の実施漏れを防ぐことが出来ないという課題があった。【解決手段】設置工事時に必ず実施し完了しなければならない１つ以上の試運転手段（試運転Ａ手段１５と試運転Ｂ手段１６）を備えた設備機器１と、すべての前記試運転手段の完了を確認する完了確認手段１９と、設置工事時の操作のみを行う設置モードと通常時の操作を行う通常モードとの切り替えを行う機能制限手段１４とを備えたリモコン２とからなり、すべての前記試運転手段の完了を確認するまでは設置工事時に行う操作以外を禁止する。【選択図】図１
2007060633.tif 000002
【特許請求の範囲】
【請求項１】
設置工事時に必ず実施し完了しなければならない１つ以上の試運転手段を備えた設備機器と、すべての前記試運転手段の完了を確認する完了確認手段と、設置工事時の操作のみを行なえる設置モードと通常時の操作を行なえる通常モードとの切り替えを行う機能制限手段とを備えたリモコンとからなり、すべての前記試運転手段の完了を確認するまでは前記設置モードのみにして設置工事時に行う操作以外を禁止するリモコンシステム。
【請求項２】
前記リモコンは、前記完了確認手段による前記試運転手段の完了／未完了を報知する確認報知手段を備える請求項１に記載のリモコンシステム。
【請求項３】
前記リモコンは、前記完了確認手段にて完了の確認が行われていない前記試運転手段の開始を誘導する誘導手段を備える請求項１から２のいずれかに記載のリモコンシステム。
【請求項４】
前記リモコンは、前記リモコンの起動直後に、前記完了確認手段にて完了の確認が行われていない場合、前記誘導手段を用いて前記試運転手段の開始を誘導する請求項３に記載のリモコンシステム。
【請求項５】
前記リモコンシステムはサーバ／携帯情報端末を備え、前記リモコンは、前記サーバ／前記携帯情報端末へ前記完了確認手段の完了／未完了の結果を送信する完了確認情報送信手段を備える請求項１から４のいずれかに記載のリモコンシステム。
【請求項６】
前記リモコンは、前記サーバ／前記携帯情報端末へ前記試運転手段の動作開始／動作終了の情報を送信する動作情報送信手段を備え、
前記サーバ／前記携帯情報端末は前記試運転手段の動作を中止する試運転中止手段と、
前記リモコンから動作開始情報を受信してからの経過時間を計測し、所定時間経過しても前記リモコンから動作終了情報を受信しない場合には前記試運転中止手段を動作させる異常検知手段、とを備える請求項５に記載のリモコンシステム。
【請求項７】
請求項１から６のいずれかに記載のリモコンシステムの少なくとも１つをコンピュータに実行させるためのプログラム。
【発明の詳細な説明】
【技術分野】
【０００１】
本発明は、設置工事時に必ず実施し完了しなければならない１つ以上の試運転手段を備える設備機器において、試運転手段の実施漏れを防ぐリモコンシステムとそのプログラムに関する。
【背景技術】
【０００２】
従来、設備機器は設置工事時に試運転を実施する必要がある。例えば、電気温水器やＣＯ２ヒートポンプ給湯機などの設備機器は、設置工事時に給湯機が有する貯湯タンク内の温水の生成を試験する温水生成試運転や、浴槽への湯張りを試験する湯張り試運転を実施する必要がある。
【０００３】
また、前記設備機器のリモコンに試運転が完了したか否かを示す表示をし、試運転が完了するとネットワークを介してサーバへ情報を送信することで試運転の未実施を防ぐものが知られている（例えば、特許文献１参照）。
【特許文献１】特開２００４−３５６６９６号公報
【発明の開示】
【発明が解決しようとする課題】
【０００４】
従来、設備機器の試運転は設置工事時に施工者が行うものである。しかしながら人間が実施する為、例え特許文献１のように試運転が完了したか否かを示す表示をしたとしても、施工者が見落とす可能性が残り、試運転の実施漏れを防ぐことが出来ないという課題があった。
【課題を解決するための手段】
【０００５】
本発明は、設置工事時に必ず実施し完了しなければならない１つ以上の試運転手段を備えた設備機器と、すべての前記試運転手段の完了を確認する完了確認手段と、設置工事時の操作のみを行なえる設置モードと通常時の操作を行なえる通常モードとの切り替えを行う機能制限手段とを備えたリモコンとからなり、すべての前記試運転手段の完了を確認するまでは前記設置モードのみにして設置工事時に行う操作以外を禁止するよう構成している。
【発明の効果】
【０００６】
本発明によれば、設置工事時に必ず実施し完了しなければならない試運転手段をすべて行い、その後に完了確認手段を用いてすべての試運転手段の完了を確認し、前記完了確認手段の動作に連動させて機能制限手段を用いて通常モードに切り替えるまでは設置工事時以外の操作が不可能であり、万が一必要な操作を忘れていた場合には通常操作を禁止する為、設置工事時点の試運転漏れを認識でき、漏れなく試運転を行う事が出来る。
【発明を実施するための最良の形態】
【０００７】
第１の発明は、設置工事時に必ず実施し完了しなければならない１つ以上の試運転手段を備えた設備機器と、すべての前記試運転手段の完了を確認する完了確認手段と、設置工事時の操作のみを行なえる設置モードと通常時の操作を行なえる通常モードとの切り替えを行う機能制限手段とを備えたリモコンとからなり、すべての前記試運転手段の完了を確認するまでは前記設置モードのみにして設置工事時に行う操作以外を禁止するリモコンシステムを提供するものである。
【０００８】
これによって本発明は、設置工事時に必要な操作をすべて行い、その後に完了確認手段
を用いてすべての前記試運転手段の完了を確認し、前記機能制限手段を用いて通常モードに切り替えるまでは設置工事時以外の操作が不可能であり、万が一必要な操作を忘れていた場合には通常操作を禁止する為、設置工事時点の試運転漏れを認識でき、漏れなく試運転を行う事が出来る。
【０００９】
第２の発明は、第１の発明において、前記リモコンは前記完了確認手段による前記試運転手段の完了／未完了を報知する確認報知手段を備えるリモコンシステムを提供するものである。
【００１０】
これによって本発明は、ユーザが未完了である前記試運転手段を容易に認識出来るようになり、リモコン操作の利便性を高める効果を有する。
【００１１】
第３の発明は、第１または２の発明において、前記リモコンは前記完了確認手段にて完了の確認が行われていない前記試運転手段の開始を誘導する誘導手段を備えるリモコンシステムを提供するものである。
【００１２】
これによって本発明は、ユーザは前記試運転の何が完了して、何が未完了なのかを認識する事無く未完了の前記試運転を実施する事ができ、リモコン操作の利便性を高める効果を有する。
【００１３】
第４の発明は、第３の発明において、前記リモコンは、前記リモコンの起動直後に、前記完了確認手段にて完了の確認が行われていない場合、前記誘導手段を用いて前記試運転手段の開始を誘導するリモコンシステムを提供するものである。
【００１４】
これによって本発明は、たとえば前記リモコンを停止し設置工事時に一度中断した後、設置工事を再開した際に前記リモコンを起動した場合、起動直後に完了の確認が行われていない前記試運転手段の開始を誘導するため、ユーザは前記試運転の何が完了して、何が未完了なのかを認識する事無く、また操作を単純化して未完了の前記試運転を実施する事ができ、リモコン操作の利便性を高める効果を有する。
【００１５】
第５の発明は、第１から４のいずれかの発明において、前記リモコンシステムはサーバ／携帯情報端末を備え、前記リモコンは、前記サーバ／前記携帯情報端末へ前記完了確認手段の完了／未完了の結果を送信する完了確認情報送信手段を備えるリモコンシステムを提供するものである。
【００１６】
これによって本発明は、前記完了確認手段の完了／未完了の結果をサーバで一元管理する事ができ、設置工事時に必ず実施し完了しなければならない試運転手段の完了／未完了を管理する事が出来る。
【００１７】
また、前記リモコンシステムのネットワーク設定を行う施工者と試運転を行う施工者が別である場合、ネットワーク設定が未設定の状態で試運転を行う事がありえるが、ネットワークを介さずに直接前記携帯情報端末と通信を行う事で前記完了確認手段の完了／未完了の結果を前記携帯情報端末で一元管理する事ができ、設置工事時に必ず実施し完了しなければならない試運転手段の完了／未完了を管理する事が出来る。
【００１８】
第６の発明は、第５の発明において、前記リモコンは、前記サーバ／前記携帯情報端末へ前記試運転手段の動作開始／動作終了の情報を送信する動作情報送信手段を備え、前記サーバ／前記携帯情報端末は前記試運転手段の動作を中止する試運転中止手段と、前記リモコンから動作開始情報を受信してからの経過時間を計測し、所定時間経過しても前記リモコンから動作終了情報を受信しない場合には前記試運転中止手段を動作させる異常検知
手段を備えるよう構成している。
【００１９】
これによって本発明は、本来前記試運転が完了しているはずの時間になっても前記試運転手段の動作が完了／異常終了せずに継続していた場合、前記サーバ／前記携帯情報端末が前記リモコンシステムを中止する事でシステムの安全性が増す。
【００２０】
第７の発明は、第１から６のいずれかの発明において、リモコンシステムの少なくとも１つをコンピュータに実行させるためのプログラムを提供するものである。
【００２１】
そして、プログラムであるので、電気・情報機器、コンピュータ、サーバ等のハードリソースを協働させて本発明のリモコンシステムの少なくとも一部を容易に実現することができる。また記録媒体に記録したり通信回線を用いてプログラムを配信したりすることでプログラムの配布・更新やそのインストール作業が簡単にできる。
【００２２】
以下、本発明の実施の形態について、図面を用いて一実施形態について詳細に説明する。なお、この実施の形態によって本発明が限定されるものではない。
【００２３】
（実施の形態１）
以下、本発明の実施の形態１におけるリモコンシステムについて、図面を参照しながら説明する。
【００２４】
図１は実施の形態１の、リモコンシステムを概略的に示す構成説明図である。
【００２５】
図１において、１は設備機器、２はリモコン、１０は表示手段、１１はリモコン制御手段、１２は設備機器側機器間通信手段、１３はリモコン側機器間通信手段、１４は機能制限制御手段、１５は試運転Ａ手段、１６は試運転Ｂ手段、１７は試運転Ａ開始手段、１８は試運転Ｂ開始手段、１９は完了確認手段である。
【００２６】
また、設置工事時に試運転Ａ手段１５と試運転Ｂ手段１６を必ず実施し完了しなければならない。
【００２７】
なお、設備機器１にはヒートポンプ給湯機、リモコン２にはヒートポンプ給湯機リモコン、表示手段１０にはユーザへの表示及び操作受付が可能なタッチパネル、リモコン制御手段１１と機能制限手段１４と試運転Ａ手段１５と試運転Ｂ手段１６と試運転Ａ開始手段１７と試運転Ｂ開始手段１８と完了確認手段１９にはマイクロコンピュータ、設備機器側機器間通信手段１２とリモコン側機器間通信手段１３にはシリアル通信手段を用いる事でこの構成を容易に実現できる。
【００２８】
なお、設備機器１にヒートポンプ給湯機を用いた時は、試運転Ａは給湯機による温水生成試運転であり、試運転Ｂは浴槽への湯張り試運転としてもよい。
【００２９】
また、設備機器１には電気を制御に用いるガス給湯機や石油給湯機、電気温水器などを用いることが出来る。
【００３０】
以下、本実施の形態の動作について説明する。工場出荷時にリモコン２は設置モードで動作するよう機能制限制御手段１４を予め設定しておく。施工者が現場で設備機器１及びリモコン２を設置し通電すると、設置モードでリモコン２が起動する。
【００３１】
設置モードは設置工事時の操作のみを行なえるモードであり、通常時の操作を行うことは出来ない。一方、通常モードは通常時の操作を行うモードである。なお、通常モードで
は設置工事時の操作も行えるよう構成しても構わない。
【００３２】
また、設備機器１にヒートポンプ給湯機を用いた時、設置モードは温水生成試運転や湯張り試運転を行うモードとし、通常モードは温水生成運転や湯張り運転を行うモードとしてもよい。
【００３３】
施工者はリモコン制御手段１１の指令で表示手段１０に表示されている試運転Ａ開始ボタンから試運転Ａ開始手段１７を動作させることで設備機器側機器間通信手段１２とリモコン側機器間通信手段１３を通じて機器間通信を行い、試運転Ａ手段１５を動作し完了させる。同様に表示手段１０に表示されている試運転Ｂ開始ボタンから試運転Ｂ開始手段１８を動作させることで設備機器側機器間通信手段１２とリモコン側機器間通信手段１３を通じて機器間通信を行い、試運転Ｂ手段１６を動作し完了させる。
【００３４】
その後、施工者はリモコン制御手段１１の指令で表示手段１０に表示されている完了確認ボタンから完了確認手段１９を動作させ、表示手段１０に表示されている確認ボタンから機能制限手段１４を動作させて、設置モードから通常モードに切り替えを行う。
【００３５】
なお、設置モードと通常モードで表示手段１０に表示する操作用インターフェースの表示を消したり、使用不可表示を行ったりすることで、設定が未完了であることが一目に分かるようにしてもよい。
【００３６】
これによって本実施の形態では、設置工事時に必要な操作をすべて行い、その後に完了確認手段１９を用いてすべての試運転手段１５、１６の完了を確認し、機能制限手段１４を用いて通常モードに切り替えるまでは設置工事時以外の操作が不可能である。万が一必要な操作を忘れていた場合には通常操作が禁止になっており、次にリモコン２を操作するユーザは設置工事時に必要な操作が完了していない事を容易に認識出来る。
【００３７】
例えば、本リモコンシステムがヒートポンプ給湯器用リモコンシステムであり、ふろに湯張りを開始するふろ自動スイッチを備えていた場合、ユーザはふろ自動スイッチを操作しても設置モードで動作中であり設置工事時に必要な操作が完了していない旨を報知するのみでお湯張りは開始しない。これによりユーザは設置工事時に必要な操作が完了していない事を容易に認識出来る。
【００３８】
また、リモコンは、完了確認手段１９による試運転手段１５、１６の完了／未完了を報知する確認報知手段２０を備えるよう構成してもよい。図２は実施の形態１の、当該リモコンシステムを概略的に示す構成説明図である。
【００３９】
図２において、２０は確認報知手段である。他の手段については図１と同じなので詳細な説明は省く。
【００４０】
なお、確認報知手段２０にはマイクロコンピュータを用いる事でこの構成を容易に実現できる。
【００４１】
また、図３は実施の形態１の、リモコンの表示手段１０に表示する、設置モード画面を概略的に示す説明図である。
【００４２】
図３において、１００は設置モード画面、１０１は試運転Ａ開始ボタン、１０２は試運転Ｂ開始ボタン、１０３は完了確認ボタン、１０４は完了表示、１０５は未完了表示である。
【００４３】
以下、本実施の形態の当該リモコンシステムの動作について説明する。設置モードでリモコン２が起動すると、リモコン制御手段１１の指令で表示手段１０に設置モード画面１００を表示する。
【００４４】
完了確認手段１９によって試運転Ａ手段１５の完了確認が行われていると、設置モード画面１００には確認報知手段２０の動作により試運転Ａ手段１５の完了表示１０４を表示する。また、完了確認手段１９によって試運転Ｂ手段１６の完了確認が行われていないと、確認報知手段２０の動作により試運転Ｂ手段１６の未完了表示１０５を表示する。
【００４５】
これによって本実施の形態は、ユーザが未完了である試運転手段を容易に認識出来るようになり、リモコン操作の利便性を高める効果を有する。
【００４６】
（実施の形態２）
以下、本発明の実施の形態２におけるリモコンについて、図面を参照しながら説明する。
【００４７】
図４は実施の形態２の、リモコンシステムを概略的に示す構成説明図である。図４において３０は誘導手段である。他の手段については実施の形態１と同じなので詳細な説明は省く。なお、誘導手段３０はマイクロコンピュータを用いる事でこの構成を容易に実現できる。
【００４８】
図５は実施の形態２の、当該リモコンの処理手順を示すフローチャートである。
【００４９】
以下、本実施の形態の動作について説明する。リモコン２が起動する（Ｓ１）と設置モードに切り替わる（Ｓ２）。その後、誘導手段３０が完了確認手段１９に記憶されている試運転Ａ手段１５と試運転Ｂ手段１６の完了／未完了の情報を取得し（Ｓ３）、試運転Ａが完了していなければ（Ｓ４）試運転Ａ開始手段１７を用いて試運転Ａ手段１５を動作させる（Ｓ６）。次に、試運転Ｂが完了していなければ（Ｓ５）試運転Ｂ開始手段１８を用いて試運転Ｂ手段１６を動作させる（Ｓ７）。
【００５０】
その後、施工者はリモコン制御手段１１の指令で表示手段１０に表示されている完了確認ボタンから完了確認手段１９を動作させ、表示手段１０に表示されている確認ボタンから機能制限手段１４を動作させて、設置モードから通常モードに切り替えを行う。
【００５１】
これによって本実施の形態は、リモコンを停止し設置工事時に一度中断した後、設置工事を再開した際にリモコンを起動した場合、起動直後に完了の確認が行われていない試運転手段の開始を誘導するため、ユーザは試運転の何が完了して、何が未完了なのかを認識する事無く、また操作を単純化して未完了の試運転を実施する事ができ、リモコン操作の利便性を高める効果を有する。
【００５２】
（実施の形態３）
以下、本発明の実施の形態３におけるリモコンシステムについて、図面を参照しながら説明する。
【００５３】
図６は実施の形態３の、リモコンシステムを概略的に示す構成説明図である。図６において、３はサーバ、４はインターネット、４０はリモコン側通信手段、４１はサーバ側通信手段、４２は完了確認情報送信手段である。他の手段については実施の形態２と同じなので詳細な説明は省く。
【００５４】
なお、サーバ３にはワークステーション、リモコン側通信手段４０とサーバ側通信手段
４１にはインターネットを介してＴＣＰ／ＩＰ通信を行うネットワークインターフェースカード、完了確認情報送信手段４２にはマイクロコンピュータを用いることでこの構成を容易に実現できる。
【００５５】
以下、本実施の形態の動作について説明する。リモコン２が起動すると設置モードに切り替わる。その後、誘導手段３０が完了確認手段１９に記憶されている試運転Ａ手段１５と試運転Ｂ手段１６の完了／未完了の情報を取得し、試運転Ａが完了していなければ試運転Ａ開始手段１７を用いて試運転Ａ手段１５を動作させる。次に、試運転Ｂが完了していなければ試運転Ｂ開始手段１８を用いて試運転Ｂ手段１６を動作させる。
【００５６】
完了後、リモコン制御手段１１の指令で表示手段１０に設置モード画面が表示され、設置モード画面が持つ完了確認情報送信ボタンから完了確認情報送信手段４２を動作させ、リモコン側通信手段４０とサーバ側通信手段４１を介してサーバ３へ完了確認手段１９の完了／未完了の結果の情報を送信する。
【００５７】
これによって本実施の形態は、完了確認手段の完了／未完了の結果の情報をサーバで一元管理する事ができ、設置工事時に必ず実施し完了しなければならない試運転手段の完了／未完了を管理する事が出来る。
【００５８】
サーバでは前記情報を使って完了確認手段の完了／未完了の結果を監視し、未完了の場合は再度リモコンシステムの設置場所に施工員を派遣するなどの対応が出来る。
【００５９】
（実施の形態４）
以下、本発明の実施の形態４におけるリモコンについて、図面を参照しながら説明する。
【００６０】
図７は実施の形態４のリモコンシステムを概略的に示す構成説明図である。
【００６１】
実施の形態４のリモコンシステムはサーバ３へ試運転Ａ手段１７／試運転Ｂ手段１８の動作開始／動作終了の情報を送信する動作情報送信手段５１、試運転Ａ手段１７／試運転Ｂ手段１８の動作を中止する試運転中止手段５２、リモコン２から動作開始情報を受信してからの経過時間を計測し、所定時間経過してもリモコン２から動作終了情報を受信しない場合には試運転中止手段５２を動作させる異常検知手段５３とで構成している。他の手段については実施の形態３と同じなので詳細な説明は省く。
【００６２】
なお、動作情報送信手段５１、試運転中止手段５２、異常検知手段５３にはマイクロコンピュータを用いる事でこの構成を容易に実現できる。
【００６３】
図８は本発明の実施の形態４におけるサーバ３の処理手順を示すフローチャートである。以下、本発明の実施の形態４の動作について説明する。
【００６４】
設備機器１、リモコン２、サーバ３が起動（Ｓ１００）した後、施工者はリモコン制御手段１１の指令で表示手段１０に表示されている試運転Ａ開始ボタンから試運転Ａ開始手段１７を動作させることで設備機器側機器間通信手段１２とリモコン側機器間通信手段１３を通じて機器間通信を行い、試運転Ａ手段１５を動作させる。
【００６５】
同時にリモコン制御手段１１は動作情報送信手段５１を動作させて試運転Ａの動作開始情報をリモコン側通信手段４０とサーバ側通信手段４１を用いる事でインターネット４を経由してサーバ３へ送信する。
【００６６】
サーバ３では前記試運転Ａ動作開始情報または試運転Ｂ動作開始情報の受信を待つ（Ｓ１０１、Ｓ１０７）。サーバ３は前記試運転Ａ動作開始情報を受信すると、異常検知手段５３は試運転Ａ用タイマを開始する（Ｓ１０２）。その後に、試運転Ａ動作終了情報の受信を待つ（Ｓ１０３）。
【００６７】
試運転Ａ手段１６が動作終了するとリモコン制御手段１１は動作情報送信手段５１を動作させて試運転Ａの動作終了情報をリモコン側通信手段４０とサーバ側通信手段４１を用いる事でインターネット４を経由してサーバ３へ送信する。
【００６８】
サーバ３は前記試運転Ａ動作終了情報を受信するとＳ１０１に戻る。また、前記試運転Ａ動作終了情報を受信する前に試運転Ａ用タイマが所定時間（例えば１０分）を経過したかどうかを判定する（Ｓ１０４）。前記所定時間は正常時であれば試運転Aが終了しているまでの時間であり、予め異常検知手段５３に記憶させておく。
【００６９】
前記所定時間を経過した場合、異常検知手段５３は試運転中止手段５２を動作させ、リモコン側通信手段４０とサーバ側通信手段４１を用いる事でインターネット４を経由してリモコン２へ試運転Ａ中止電文を送信する（Ｓ１０５）。リモコン２は前記試運転Ａ中止電文を受信するとリモコン制御手段１１が設備機器側機器間通信手段１２とリモコン側機器間通信手段１３を通じて機器間通信を行い、試運転Ａ手段１５を動作させ試運転Ａの動作を中止する。
【００７０】
また、試運転Ｂについても同様にＳ１０７からＳ１１１の制御を行う。
【００７１】
なお、サーバ３は、使用者が携帯する携帯情報端末であってもよい。
【００７２】
なお、本実施の形態で説明した手段は、ＣＰＵ（またはマイクロコンピュータ）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００７３】
本発明は設備機器用のリモコンシステムに関するものであり、ヒートポンプ給湯機、ガス給湯機、石油給湯機、電気温水器などに利用してもよい。また、リモコンのみの変更で利用出来るため、特に従来からある設備機器に利用する場合に有効である。
【図面の簡単な説明】
【００７４】
【図１】本発明の実施の形態１におけるリモコンシステムを概略的に示す構成説明図
【図２】本発明の実施の形態１におけるリモコンシステムを概略的に示す構成説明図
【図３】本発明の実施の形態１における設置モード画面を概略的に示す説明図
【図４】本発明の実施の形態２におけるリモコンシステムを概略的に示す構成説明図
【図５】本発明の実施の形態２における当該リモコンの処理手順を示すフローチャート
【図６】本発明の実施の形態３におけるリモコンシステムを概略的に示す構成説明図
【図７】本発明の実施の形態４におけるリモコンシステムを概略的に示す構成説明図
【図８】本発明の実施の形態４におけるサーバ３の処理手順を示すフローチャート
【符号の説明】
【００７５】
１  設備機器
２  リモコン
３  サーバ（または携帯情報端末）
４  インターネット（ネットワーク）
１４  機能制限手段
１５  試運転Ａ手段
１６  試運転Ｂ手段
１９  完了確認手段
２０  確認報知手段
３０  誘導手段
４２  完了確認情報送信手段
５１  動作情報送信手段
５２  試運転中止手段
５３  異常検知手段
【図１】
2007060633.tif 000003
【図２】
2007060633.tif 000004
【図３】
2007060633.tif 000005
【図４】
2007060633.tif 000006
【図５】
2007060633.tif 000007
【図６】
2007060633.tif 000008
【図７】
2007060633.tif 000009
【図８】
2007060633.tif 000010